(57)【要約】【課題】良好な白色度を備え、吐出安定性に優れた白色系インクおよびこれを備える記録装置を提供することにある。【解決手段】本発明に係るインクジェット記録用白色系インクは、平均粒子径が２００ｎｍ以上４００ｎｍ以下であり、金属酸化物からなる白色系顔料を含有し、下記式（１）を満たす。０．５×Ａ≦Ｖ≦１．３×Ａ      ・・・（１）（上記式（１）において、Ａは、インクジェット記録用白色系インクに含まれる前記白色系顔料の含有量（質量％）を示す。また、Ｖは、インクジェット記録用白色系インク中で前記白色系顔料が完全に沈降したとき、インクジェット記録用白色系インクの全体積に占める前記白色系顔料の体積の割合（％）を示す。）【選択図】なし【特許請求の範囲】
【請求項１】
平均粒子径が２００ｎｍ以上４００ｎｍ以下であり、金属酸化物からなる白色系顔料を含有し、
下記式（１）を満たす、インクジェット記録用白色系インク。
０．５×Ａ≦Ｖ≦１．３×Ａ      ・・・（１）
（上記式（１）において、Ａは、インクジェット記録用白色系インクに含まれる前記白色系顔料の含有量（質量％）を示す。また、Ｖは、インクジェット記録用白色系インク中で前記白色系顔料が完全に沈降したとき、インクジェット記録用白色系インクの全体積に占める前記白色系顔料の体積の割合（％）を示す。）
【請求項２】
請求項１において、
前記インクジェット記録用白色系インクは、インク流路を流通してインクジェット式記録ヘッドのノズルから吐出され、
前記インク流路で前記白色系顔料を完全に沈降させたとき、前記インク流路に流速７０ｍｌ／分・ｃｍ２以上２６０ｍｌ／分・ｃｍ２以下の液体を供給した場合に、前記インク流路に残存する前記白色系顔料が、前記インク流路で前記白色系顔料を完全に沈降させたときの体積を１００％とした場合に、３０％以下である、インクジェット記録用白色系インク。
【請求項３】
請求項１または請求項２において、
さらに、樹脂、糖類およびシリカ粒子の少なくとも一種を含有する、インクジェット記録用白色系インク。
【請求項４】
請求項３において、
前記樹脂の含有量が、０．５質量％以上９質量％以下である、インクジェット記録用白色系インク。
【請求項５】
請求項３または請求項４において、
前記樹脂が、スチレンアクリル系樹脂である、インクジェット記録用白色系インク。
【請求項６】
請求項１ないし請求項５のいずれか１項において、
前記金属酸化物が、二酸化チタンである、インクジェット記録用白色系インク。
【請求項７】
請求項２ないし請求項６のいずれか１項において、
前記インク流路は、前記インクジェット式記録ヘッド内部に液体を供給するインク供給管を含み、
前記インク供給管の材質が、エラストマーである、インクジェット記録用白色系インク。
【請求項８】
請求項１ないし請求項７のいずれか１項において、
塩化ビニル系樹脂を実質的に含有しない、インクジェット記録用白色系インク。
【請求項９】
請求項１ないし請求項８のいずれか１項に記載のインクジェット記録用白色系インクを備える、記録装置。
【発明の詳細な説明】
【技術分野】
【０００１】
本発明は、インクジェット記録用白色系インク、およびこれを備える記録装置に関する。
【背景技術】
【０００２】
従来から、インクジェット記録ヘッドのノズルから、インクの液滴を吐出させて、文字や画像を形成するインクジェット記録方法が知られている。
【０００３】
近年、インクジェット記録には、多種多様なインクが用いられるようになっている。このようなインクのうち、白色系顔料を含有する白色系インクは、例えばプラスチック製品や金属製品のような下地の色が白色とは限らない記録媒体にカラー画像を記録する場合において、カラー画像の発色性を向上させるべく下地の色を消す用途に使用されることがある。また、透明シートにカラー画像を記録する場合にあっては、カラー画像の透過性を下げる白色遮蔽層の形成に用いられることがある（例えば、特許文献１）。そのため、白色系インクは、記録媒体に付着させた際の白色度が高いことが求められていた。
【先行技術文献】
【特許文献】
【０００４】
【特許文献１】特開２００８−２４８００８号公報
【発明の概要】
【発明が解決しようとする課題】
【０００５】
上記の白色系インクに含まれる白色系顔料は、溶媒との比重差の点からインクジェット記録装置内で沈降することがあった。
【０００６】
このような場合、白色系顔料を含む沈降物（ハードケーキという場合がある）は、ある程度柔らかければ、インクジェット記録装置内に液体（インクや洗浄液）を流通させることで、インクジェット式記録ヘッドのノズルから吐出できる。
【０００７】
しかしながら、白色系顔料を含む沈降物が固化したり増粘したりすると、インクジェット記録装置内に液体を流通させても、沈降物を十分に解消できないことがある。そうすると、沈降物がインクの供給を阻害したり、吐出不良等を引き起こしたりする場合があった。
【０００８】
本発明のいくつかの態様にかかる目的の一つは、良好な白色度を備えつつ、吐出安定性に優れたインクジェット記録用白色系インクおよびこれを備える記録装置を提供することにある。
【課題を解決するための手段】
【０００９】
本発明は前述の課題の少なくとも一部を解決するためになされたものであり、以下の態様または適用例として実現することができる。
【００１０】
［適用例１］
本発明に係るインクジェット記録用白色系インクの一態様は、
平均粒子径が２００ｎｍ以上４００ｎｍ以下であり、金属酸化物からなる白色系顔料を含有し、
下記式（１）を満たす。
０．５×Ａ≦Ｖ≦１．３×Ａ      ・・・（１）
（上記式（１）において、Ａは、インクジェット記録用白色系インクに含まれる前記白色系顔料の含有量（質量％）を示す。また、Ｖは、インクジェット記録用白色系インク中で前記白色系顔料が完全に沈降したとき、インクジェット記録用白色系インクの全体積に占める前記白色系顔料の体積の割合（％）を示す。）
【００１１】
適用例１のインクジェット記録用白色系インクは、吐出安定性に優れ、白色度の高い画像を記録できる。特に、白色系顔料を含む沈降物が生じても、これが硬化したり増粘したりしにくいので、インクジェット記録装置に白色系インクを供給した状態で長期間保存しても吐出不良が生じにくい。
【００１２】
［適用例２］
適用例１において、
前記インクジェット記録用白色系インクは、インク流路を流通してインクジェット式記録ヘッドのノズルから吐出され、
前記インク流路で前記白色系顔料を完全に沈降させたとき、前記インク流路に流速７０ｍｌ／分・ｃｍ２以上２６０ｍｌ／分・ｃｍ２以下の液体を供給した場合に、前記インク流路に残存する前記白色系顔料が、前記インク流路で前記白色系顔料を完全に沈降させたときの体積を１００％とした場合に、３０％以下であることができる。
【００１３】
［適用例３］
適用例１または適用例２において、
さらに、樹脂、糖類およびシリカ粒子の少なくとも一種を含有することができる。
【００１４】
［適用例４］
適用例３において、
前記樹脂の含有量が、０．５質量％以上９質量％以下であることができる。
【００１５】
［適用例５］
適用例３または適用例４において、
前記樹脂が、スチレンアクリル系樹脂を含むことができる。
【００１６】
［適用例６］
適用例１ないし適用例５のいずれか１例において、
前記金属酸化物が、二酸化チタンであることができる。
【００１７】
［適用例７］
適用例２ないし適用例６のいずれか１例において、
前記インク流路は、前記インクジェット式記録ヘッド内部に液体を供給するインク供給管を含み、
前記インク供給管の材質が、エラストマーであることができる。
【００１８】
［適用例８］
適用例１ないし適用例７のいずれか１例において、
塩化ビニル系樹脂を実質的に含有しないことができる。
【００１９】
［適用例９］
本発明に係る記録装置の一態様は、
適用例１ないし適用例８のいずれか１例に記載のインクジェット記録用白色系インクを備える。
【図面の簡単な説明】
【００２０】
【図１】本発明の一実施形態に係るプリンターの構成を示す斜視図。
【発明を実施するための形態】
【００２１】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００２２】
１．インクジェット記録用白色系インク
本実施形態に係るインクジェット記録用白色系インク（以下、単に「白色系インク」ともいう。）は、平均粒子径が２００ｎｍ以上４００ｎｍ以下であり、金属酸化物からなる白色系顔料を含有し、下記式（１）を満たす。
【００２３】
０．５×Ａ≦Ｖ≦１．３×Ａ      ・・・（１）
上記式（１）において、Ａは、白色系インクに含まれる白色系顔料の含有量（質量％）を示す。また、Ｖは、白色系インク中で白色系顔料が完全に沈降したとき、白色系インクの全体積に占める白色系顔料の体積の割合（％）を示す。
【００２４】
本発明において「沈降」とは、一定期間液体を放置した場合に、液体に含有されていた成分が沈殿し、液体に含有されていた成分が液体の下層に積もることをいう。沈降成分としては、例えば白色系インクにあっては、白色系顔料を挙げることができ、これに結合または吸着した成分を含むことができる。
【００２５】
本発明において「白色系インク中で白色系顔料が完全に沈降したとき」とは、白色系インクをインクジェットプリンターに充填して、温度２０℃、湿度５０％ＲＨの条件下で、６ヶ月間相当で保存した場合のことをいう。
【００２６】
また、上記式（１）中の「Ｖ」は、本明細書では沈降体積率（％）ともいい、白色系インク中で白色系顔料が完全に沈降したときに、二層に分離したインクの界面を基準として、下層の体積を算出することによって得られる。具体的には、白色系インク中で白色系顔料が完全に沈降すると、透明の液体からなる上層（主として溶媒からなる）と、白色の沈降物からなる下層（主として白色系顔料からなる）とに分離する。このとき、下層の体積が、上層および下層の体積の合計に占める割合を算出する。こうすることで、沈降体積率（％）が求められる。
【００２７】
発明者は、鋭意検討の結果、沈降体積率が上記式（１）を満たすことで、インクジェット記録装置内で白色系顔料を含む沈降物が生じても、これが硬化したり、増粘したりしにくいことを見出した。このように上記式（１）を満たすことで、吐出安定性に優れた白色系インクが得られる。
【００２８】
具体的には、上記式（１）において、Ｖが０．５×Ａ未満であると、沈降物は強固かつ高密度に流路に密着した状態であり良好ではない。一方で、上記式（１）において、Ｖが１．３×Ａ超過であると、沈降物は高粘度の状態で流路中に存在し、白色系インクとしては良好ではない。なお、上記式（１）において、白色系インクは０．６×Ａ≦Ｖ≦１．０×Ａを満たすものであれば、一層良好な白色系インクとなる。
【００２９】
本発明において「白色系インク」とは、社会通念上「白」と呼称される色を記録できるインク（インキ）のことを示し、微量着色されているものも含む。また、その顔料を含有するインク（インキ）が「白色インク（インキ）、ホワイトインク（インキ）」などといった名称で呼称、販売されるインク（インキ）を含む。さらに、例えば、インク（インキ）が、エプソン純正写真用紙＜光沢＞（セイコーエプソン社製）に１００％ｄｕｔｙ以上又は写真用紙の表面が十分に被覆される量で記録された場合に、インクの明度（Ｌ＊）および色度（ａ＊、ｂ＊）が、分光測光器Ｓｐｅｃｔｒｏｌｉｎｏ（商品名、ＧｒｅｔａｇＭａｃｂｅｔｈ社製）を用いて、測定条件をＤ５０光源、観測視野を２°、濃度をＤＩＮ  ＮＢ、白色基準をＡｂｓ、フィルターをＮｏ、測定モードをＲｅｆｌｅｃｔａｎｃｅ、として設定して計測した場合に、７０≦Ｌ＊≦１００、−４．５≦ａ＊≦２、−６≦ｂ＊≦２．５、の範囲を示す、インク（インキ）を含む。
【００３０】
本実施形態の白色系インクは、白色とは限らない記録媒体（例えば、プラスチックや金属）に対して画像を記録するために用いられる場合がある。このような場合に、白色系インクは、例えば、記録媒体の色を消したり、カラー画像の透過性を下げたりするために、下地層の形成に用いられる。なお、本実施形態に係る白色系インクは、これに限らず、白色の記録媒体に用いてもよい。
【００３１】
１．１．白色系顔料
本実施形態に係る白色系インクは、金属酸化物からなる白色系顔料を含有する。金属酸化物としては、例えば、二酸化チタン、酸化亜鉛、シリカ、アルミナ、酸化マグネシウム等が挙げられる。これらの中でも、特に白色度および耐擦性に優れるという観点から、二酸化チタンが好ましい。
【００３２】
なお、白色系顔料には、例えば米国特許第４，８８０，４６５号などの明細書に記載されている中空構造を有する粒子を含まない。中空構造を有する粒子は、嵩高いため、上記式（１）を満たさないためである。
【００３３】
白色系顔料の体積基準の平均粒子径（以下、「平均粒子径」という。）は、２００ｎｍ以上４００ｎｍ以下である。白色系顔料の平均粒子径が前記範囲内、とりわけ下限を下回らずにあることで、良好な白色度を備えた画像を記録できる。また、白色系顔料の平均粒子径が前記範囲内、とりわけ上限を超えずにあることで、吐出安定性に優れた白色系インクが得られる。
【００３４】
白色系顔料の平均粒子径は、レーザー回折散乱法を測定原理とする粒度分布測定装置により測定することができる。粒度分布測定装置としては、例えば、動的光散乱法を測定原理とする粒度分布計（例えば、「マイクロトラックＵＰＡ」日機装株式会社製）が挙げられる。
【００３５】
白色系顔料の含有量（固形分）は、白色系インクの全質量に対して、好ましくは１％以上３０％以下であり、より好ましくは１％以上２０％以下である。白色系顔料の含有量が上記範囲内、とりわけ下限を下回らずにあることで、白色度等の色濃度が良好になる場合がある。また、白色系顔料の含有量が上記範囲内、とりわけ上限を超えずにあることで、ノズル詰まり等の発生を低減できる場合がある。
【００３６】
１．２．樹脂
本実施形態に係る白色系インクは、樹脂を含有することができる。樹脂の機能としては、記録媒体上に白色系インクを定着させることや、白色系顔料を白色系インク中で分散させることが挙げられる。
【００３７】
このような樹脂としては、例えば、アクリル系樹脂、スチレンアクリル系樹脂、フルオレン系樹脂、ウレタン系樹脂、ポリオレフィン系樹脂、ロジン変性樹脂、テルペン系樹脂、ポリエステル系樹脂、ポリアミド系樹脂、エポキシ系樹脂、エチレン−酢酸ビニル共重合体樹脂等の公知の樹脂や、ポリオレフィンワックス等が挙げられる。これらの樹脂は、１種単独または２種以上組み合わせて用いることができる。
【００３８】
上記樹脂のうち、スチレンアクリル系樹脂は、沈降物を増粘させる作用が小さいので好ましく用いることができる。
【００３９】
スチレンアクリル系樹脂としては、例えば、スチレン−アクリル酸共重合体、スチレン−メタクリル酸共重合体、スチレン−メタクリル酸−アクリル酸エステル共重合体、スチレン−α―メチルスチレン−アクリル酸共重合体、スチレン−α―メチルスチレン−アクリル酸−アクリル酸エステル共重合体等が挙げられる。なお、共重合体の形態としては、ランダム共重合体、ブロック共重合体、交互共重合体、グラフト共重合体のいずれの形態でも用いることができる。なお、スチレンアクリル系樹脂としては、市販されているものを利用してもよい。スチレンアクリル樹脂の市販品としては、例えば、ＹＳ−１２７４（星光ＰＭＣ株式会社製、溶液タイプ）、ＪＯＮＣＲＹＬ  ６１Ｊ（ＢＡＳＦジャパン株式会社製、溶液タイプ）等が挙げられる。
【００４０】
樹脂を含有する場合には、その含有量が、白色系インクの全質量に対して、０．５質量％以上９質量％以下であることが好ましい。樹脂の含有量が上記範囲内にあると、白色系顔料を含む沈降物の硬化や増粘が生じにくくなる。
【００４１】
なお、本実施形態に係る白色系インクには、塩化ビニル系樹脂を実質的に含有しないことが好ましい。塩化ビニル系樹脂は、白色系顔料を含む沈降物を増粘させることがあるためである。
【００４２】
塩化ビニル系樹脂を実質的に含有しないとは、例えば、インク中における塩化ビニル系樹脂の含有量が０．１質量％以下、より好ましくは０．０５質量％以下、一層好ましくは０．０１質量％以下であることをいう。
【００４３】
１．３．シリカ粒子
本実施形態に係る白色系インクは、シリカ（ＳｉＯ２）粒子を含有することができる。シリカ粒子は、白色系顔料を含む沈降物の硬化を抑制する機能を備える。具体的には、シリカ粒子は、白色系顔料の粒子間に入り込み、スペーサーとして機能することで、沈降物の硬化を抑制できる。
【００４４】
シリカ粒子は、シリカ粒子を水や有機溶媒中に分散させたコロイド溶液としたもの（コロイダルシリカ）を添加することが好ましい。これにより、シリカ粒子をインク中で容易に分散できる。このようなコロイダルシリカとしては、市販品を用いることもでき、例えば、扶桑化学工業株式会社製のクォートロン  ＰＬ−１、ＰＬ−３、ＰＬ−７、日産化学株式会社製のスノーテックス  ＸＳ、ＯＸＳ、ＮＸＳ、ＣＸＳ−９等が挙げられる。
【００４５】
シリカ粒子を含有する場合には、その含有量が、白色系インクの全質量に対して、０．１質量％以上５質量％以下であることが好ましく、０．５質量％以上３質量％以下であることがより好ましい。シリカ粒子の含有量が上記範囲内にあると、沈降物の硬化を抑制する作用がさらに高まる場合がある。
【００４６】
シリカ粒子の好ましい体積基準の平均粒子径は、３０ｎｍ以上１２０ｎｍ以下である。この範囲内にあることによって、白色系顔料のスペーサーとしての機能が良好に発揮される。また、白色系顔料とシリカ粒子の平均粒子径の好ましい関係は、白色系顔料の平均粒子径：シリカ粒子の平均粒子径＝３：１〜７：１であり、より好ましくは３．５：１〜６．５：１である。なお、シリカ粒子の体積基準の平均粒子径は、白色系顔料の体積基準の平均粒子径と同様の方法で測定できる。
【００４７】
１．４．糖類
本実施形態に係る白色系インクは、糖類を含有することができる。糖類は、白色系インクの湿潤性を高めて、インクジェット式記録ヘッドの目詰まりの抑制効果を高める機能や、沈降物の硬化を抑制する機能を備える。
【００４８】
糖は、単糖と二糖以上の糖により構成されていてもよいし、単糖のみであってもよいし、二糖以上の糖のみによって構成されていてもよい。糖の種類は、求める効果の範囲で適宜選択される。つまり、沈降物の硬化を抑制する効果に重点を置きたい場合には、二糖以上の糖のみ（単糖を含有しない）により構成されていてもよい。また、二糖以上の糖のみによって構成されている場合、その糖は、二糖と三糖以上の糖のみであってよい。
【００４９】
本実施の形態に係る白色系インクは、前記糖として、単糖、二糖以上の糖（オリゴ糖（三糖および四糖を含む）および多糖）を含有しても良い。単糖、二糖以上の糖の例としては、グルコース、リボース、マンニトール、マンノース、フルクトース、リボース、キシロース、アラビノース、ガラクトース、アルドン酸、グルシトール、（ソルビット）、マルトース、セロビオース、ラクトース、スクロース、トレハロース、マルトトリオース、などがあげられる。ここで、多糖とは広義の糖を意味し、アルギン酸、瘁|シクロデキストリン、セルロースなど自然界に広く存在する物質を含む意味に用いることとする。また、これらの糖の誘導体としては、前記した糖の還元糖［（例えば、糖アルコール（一般式ＨＯＣＨ２（ＣＨＯＨ）ｎＣＨ２ＯＨ（ここで、ｎ＝２〜５の整数を表す）で表される］、酸化糖（例えば、アルドン酸、ウロン酸など）、アミノ酸、チオ糖などがあげられる。糖の種類は特に限定されないが、特に還元糖が好ましく、具体例としてはグルコース、フルクトースなどが挙げられる。
【００５０】
また、単糖と二糖以上の糖が添加されている場合、インク中に含有された糖全体に対して、単糖の割合が５質量％以上５０質量％以下であることが好ましく、より好ましくは、２０質量％以上４５質量％以下である。これにより、糖が保湿剤として作用し、記録ヘッドのノズル目詰まりを防ぐことができる。さらに、糖が白色系顔料の粒子に吸着し、粒子の凝集を防ぎ、白色色材の沈降による底面で固化を防ぐことができる。また、糖は三糖（二糖以上の糖の一種）を含むと一層好ましい。三糖を含有させる場合には、その含有量は特に限定されないが、３質量％以上９０質量％以下が好ましく、より好ましくは２５質量％以上８５質量％以下である。なお、単糖と二糖以上の糖をインクに添加する場合、単糖と二糖以上の糖を別個に添加してもよいし、２つを含む混合糖（例えばシラップ）を添加してもよい。
【００５１】
還元糖の市販品としては、例えば「ＨＳ−５００」（株式会社林原商事製）、「ＨＳ−３００」（株式会社林原商事製）、「ＨＳ−６０」（株式会社林原商事製）、「ＨＳ−３０」（株式会社林原商事製）、「ＨＳ−２０」（株式会社林原商事製）等が挙げられる。
【００５２】
糖類を含有する場合には、その含有量が、白色系インクの全質量に対して、２質量％以上１５質量％以下であることが好ましく、５質量％以上１０質量％以下であることがより好ましい。糖の含有量が上記範囲内にあると、記録される画像の乾燥性が良好であり、沈降物の硬化を良好に抑制できる。
【００５３】
１．５．その他の成分
本実施形態に係る白色系インクは、有機溶媒、界面活性剤および水等を含有してもよい。
【００５４】
（有機溶媒）
白色系インクは、有機溶媒を含有することができる。白色系インクには、複数種の有機溶媒が含有されていてもよい。白色系インクに用いる有機溶媒としては、１，２−アルカンジオール類、多価アルコール類、ピロリドン誘導体等が挙げられる。
【００５５】
１，２−アルカンジオール類としては、例えば、１，２−プロパンジオール、１，２−ブタンジオール、１，２−ペンタンジオール、１，２−ヘキサンジオール、１，２−オクタンジオール等が挙げられる。１，２−アルカンジオール類は、記録媒体に対するインクの濡れ性を高めて均一に濡らす作用に優れているため、記録媒体上に優れた画像を形成することができる。１，２−アルカンジオール類を含有する場合には、その含有量が、白色系インクの全質量に対して、１質量％以上２０質量％以下であることが好ましい。
【００５６】
多価アルコール類としては、例えば、エチレングリコール、ジエチレングリコール、プロピレングリコール、ジプロピレングリコール、１，３−プロパンジオール、１，４−ブタンジオール、１，５−ペンタンジオール、１，６−ヘキサンジオール、グリセリン等が挙げられる。多価アルコール類は、白色系インクをインクジェット記録装置に用いた場合に、ヘッドのノズル面でのインクの乾燥固化を抑制して目詰まりや吐出不良等を低減できるという観点から好ましく用いることができる。多価アルコール類を含有する場合には、その含有量が、白色系インクの全質量に対して、２質量％以上２０質量％以下であることが好ましい。
【００５７】
ピロリドン誘導体として、例えば、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドン等が挙げられる。ピロリドン誘導体は、樹脂の良好な溶解剤として作用することができる。ピロリドン誘導体を含有する場合には、その含有量が、白色系インクの全質量に対して、０．１質量％以上２５質量％以下であることが好ましい。
【００５８】
（界面活性剤）
白色系インクは、界面活性剤を含有することができる。界面活性剤としては、シリコン系界面活性剤、アセチレングリコール系界面活性剤等が挙げられる。
【００５９】
シリコン系界面活性剤としては、ポリシロキサン系化合物等が好ましく用いられ、例えば、ポリエーテル変性オルガノシロキサン等が挙げられる。より詳しくは、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。シリコン系界面活性剤は、記録媒体上で白色系インクの濃淡ムラや滲みを生じないように均一に広げる作用を有するという観点から好ましく用いることができる。シリコン系界面活性剤を含有する場合には、その含有量が、白色系インクの全質量に対して、０．１質量％以上１．５質量％以下であることが好ましい。
【００６０】
アセチレングリコール系界面活性剤としては、２，４，７，９−テトラメチル−５−デシン−４，７−ジオール、３，６−ジメチル−４−オクチン−３，６−ジオール、または３，５−ジメチル−１−ヘキシン−３オール、２，４−ジメチル−５−ヘキシン−３−オールなどが挙げられる。また、アセチレングリコール系界面活性剤は市販品も利用することができ、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＤＦ１１０Ｄ、ＣＴ１１１、ＣＴ１２１、ＣＴ１３１、ＣＴ１３６、ＴＧ、ＧＡ（以上全て商品名、Ａｉｒ  Ｐｒｏｄｕｃｔｓ  ａｎｄ  Ｃｈｅｍｉｃａｌｓ．  Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノールＥ００、Ｅ００Ｐ、Ｅ４０、Ｅ１００（以上全て商品名、川研ファインケミカル株式会社製）等が挙げられる。アセチレングリコール系界面活性剤は、他の界面活性剤と比較して、表面張力および界面張力を適正に保つ能力に優れており、かつ起泡性がほとんどないという特性を有する。アセチレン系界面活性剤を含有する場合には、その含有量は、白色系インクの全質量に対して、０．１質量％以上１．０質量％以下であることが好ましい。
【００６１】
（水）
本実施形態に係る白色系インクは、主となる溶媒（白色系インクの全質量に対して、例えば、５０質量％以上含まれる溶媒）が、水であってもよいし、有機溶剤（例えば、アルコール類、ケトン類、カルボン酸エステル類、エーテル類等）であってもよい。
【００６２】
白色系インクが水を主溶媒とする、いわゆる水系インクである場合には、非水系（溶剤系）インク（例えば、記録物に用いるインクとしては米国特許出願公開第２００７／００４４６８４号明細書に記載されたインクを参照）に比べて、記録ヘッドに用いられているピエゾ素子や、被記録媒体に含まれる有機バインダー等への反応性が弱いので、これらを溶かしたり、腐食させたりすることを低減できる場合がある。また、水系インクは、高沸点・低粘度の溶剤を多く含有する非水系インクに比べて、乾燥性に優れた画像を形成することができる場合がある。さらに、水系インクは、溶剤系インクに比べて、臭気も抑えられており、かつ、その組成の５０％以上が水であるので環境にも良いという利点がある。
【００６３】
（その他）
本実施形態に係る白色系インクは、さらに、ｐＨ調整剤、防腐剤・防かび剤、防錆剤、キレート化剤等を含有することができる。本実施形態に係る白色系インクは、これらの化合物を含有していると、その特性がさらに向上する場合がある。
【００６４】
ｐＨ調整剤としては、例えば、リン酸二水素カリウム、リン酸水素二ナトリウム、水酸化ナトリウム、水酸化リチウム、水酸化カリウム、アンモニア、ジエタノールアミン、トリエタノールアミン、トリイソプロパノールアミン、炭酸カリウム、炭酸ナトリウム、炭酸水素ナトリウム等が挙げられる。
【００６５】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン等が挙げられる。市販品では、プロキセルＸＬ２、プロキセルＧＸＬ（以上商品名、アビシア社製）や、デニサイドＣＳＡ、ＮＳ−５００Ｗ（以上商品名、ナガセケムテックス株式会社製）等が挙げられる。
【００６６】
防錆剤としては、例えば、ベンゾトリアゾール等が挙げられる。
【００６７】
キレート化剤としては、例えば、エチレンジアミン四酢酸およびそれらの塩類（エチレンジアミン四酢酸二水素二ナトリウム塩等）等が挙げられる。
【００６８】
本実施形態に係る白色系インクは、従来公知の装置、例えば、ボールミル、サンドミル、アトライター、バスケットミル、ロールミルなどを使用して、従来の顔料インクと同様に調製することができる。調製に際しては、メンブランフィルターやメッシュフィルター等を用いて粗大粒子を除去することが好ましい。
【００６９】
１．６．物性
本実施形態に係る白色系インクは、記録品質とインクジェット用インクとしての信頼性とのバランスの観点から、２０℃における表面張力が２０ｍＮ／ｍ以上５０ｍＮ／ｍであることが好ましく、２５ｍＮ／ｍ以上４０ｍＮ／ｍ以下であることがより好ましい。なお、表面張力の測定は、自動表面張力計ＣＢＶＰ−Ｚ（協和界面科学社製）を用いて、２０℃の環境下で白金プレートをインクで濡らしたときの表面張力を確認することにより測定することができる。
【００７０】
また、同様の観点から、本実施形態に係る白色系インクの２０℃における粘度は、２ｍＰａ・ｓ以上１５ｍＰａ・ｓ以下であることが好ましく、２ｍＰａ・ｓ以上１０ｍＰａ・ｓ以下であることがより好ましい。なお、粘度の測定は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００７１】
２．インクジェット記録装置
本実施形態に係る白色系インクは、インク流路を流通して、インクジェット式記録ヘッド（以下、単に「ヘッド」ともいう。）のノズルから液滴として吐出され、記録媒体上に付着する。このようにして、記録媒体上に白色系インクからなる画像（記録物）が得られる。
【００７２】
以下、本実施形態に係る白色系インクを吐出可能なヘッドを備えたインクジェット記録装置について、図１を参照しながら説明する。以下の説明に用いる各図面では、各部材を認識可能な大きさとするため、各部材の縮尺を適宜変更している。本実施形態では、インクジェット記録装置としてインクジェットプリンター（以下、単に「プリンター」という。）を例示する。なお、本発明はこの装置構成に限定されるわけではない。
【００７３】
図１は、本実施形態におけるプリンター１の構成を示す斜視図である。図１に示すプリンター１は、シリアルプリンターである。シリアルプリンターとは、所定の方向に移動するキャリッジにヘッドが搭載されており、キャリッジの移動に伴ってヘッドが移動することにより記録媒体上に液滴を吐出するもののことをいう。
【００７４】
図１に示すように、プリンター１は、ヘッド２を搭載するキャリッジ３と、キャリッジ３を記録媒体Ｐの媒体幅方向に移動させるキャリッジ移動機構４と、記録媒体Ｐを媒体送り方向に搬送する媒体送り機構５と、を有するものである。また、プリンター１は、当該プリンター１全体の動作を制御する制御部６を有している。なお、上記媒体幅方向とは、主走査方向（ヘッド走査方向）である。上記媒体送り方向とは、副走査方向（主走査方向に直交する方向）である。
【００７５】
図１に示すように、ヘッド２は、インク供給管２０を介して、白色系インクを収容するインク収容部１０と接続されている。本実施形態に係るプリンター１としては、インク収容部１０をプリンター１の筐体等に装着して、インク供給管２０を介してヘッド２にインクを供給する、いわゆるオフキャリッジタイプのプリンターを例示したが、これに限定されるものではない。例えば、インクカートリッジをキャリッジに搭載した、いわゆるオンキャリッジタイプのプリンターを使用してもよい。また、キャリッジを有さない、ラインヘッドタイプのプリンターに使用しても良い。
【００７６】
インク供給管２０は、中空状のチューブ形状を備え、内部にインクを流通させる。インク供給管２０の材質としては、特に限定されないが、エラストマーが挙げられる。エラストマーとしては、例えば、天然ゴム、合成ゴム等の加硫ゴムや、塩化ビニル系、スチレン系、オレフィン系（ポリエチレン、ポリプロピレン等）、シリコーン系、フッ素系等のエラストマーを挙げることができる。
【００７７】
インク流路で白色系インクに含まれる白色系顔料を完全に沈降させたとき、当該インク流路に流速７０ｍｌ／分・ｃｍ２以上２６０ｍｌ／分・ｃｍ２以下の液体を供給した場合、インク流路に残存する白色系顔料は、インク流路で白色系顔料を完全に沈降させたときの体積を１００％とした場合に、４０％以下であることが好ましく、３０％以下であることがより好ましい。本明細書において、当該値を流路残存率という場合がある。白色系顔料を含む沈降物を６０％以上（好ましくは７０％以上）解消できると、沈降物に伴う吐出安定性の低下を十分に改善できるといえる。
【００７８】
また、上記のような比較的低速な流速の液体によって、沈降物の６０％以上（好ましくは７０％以上）を解消できるのであれば、沈降物がそれ程硬化していないといえる。そのため、プリンターを連続使用しているうちに、インク流路に残っていた沈降物の一部をさらに解消できる。
【００７９】
インク流路に流通させる液体としては、特に限定されないが、例えば、本実施形態に係る白色系インクの他に、インク流路を洗浄するための洗浄液（例えば、水およびグリセリンを含む液体）を用いることができる。
【００８０】
本発明におけるインク流路とは、インク収容部より流出した液体が、ヘッドのノズルから吐出されるまでに通る流路のことをいう。例えば、上記プリンター１では、インク供給管２０と、ヘッド２内部のインク流通経路とがインク流路に相当する。
【００８１】
３．実施例
以下、本発明を実施例および比較例により具体的に説明するが、本発明はこれらに限定されるものではない。
【００８２】
３．１．白色系インクの調製
表１および表２に示す配合量で各成分を混合攪拌した後、孔径５μｍの金属フィルターにてろ過、真空ポンプを用いて脱気処理をした。このようにして、実施例１〜実施例１４、および比較例１〜比較例８に係る白色系インクを得た。
【００８３】
表１および表２で用いた成分は、次の通りである。また、表１および表２の樹脂の添加量は、固形分換算値である。なお、下記の白色系顔料の平均粒子径は、石原産業株式会社製のＴＩＰＡＱＵＥ  ＣＲ−６０，ＴＩＰＡＱＵＥ  ＣＲ−５８，ＴＩＰＡＱＵＥ  ＣＲ−５０を用い、これの分散・攪拌方法を適宜調節して粒子径を異ならせた後、これを実際に測定することで得られた値である。
（白色系顔料）
・二酸化チタン  平均粒子径９６ｎｍ（商品名「ＴＩＰＡＱＵＥ  ＣＲ−６０」、石原産業株式会社製）
・二酸化チタン  平均粒子径１４４ｎｍ（商品名「ＴＩＰＡＱＵＥ  ＣＲ−６０」、石原産業株式会社製）
・二酸化チタン  平均粒子径２１０ｎｍ（商品名「ＴＩＰＡＱＵＥ  ＣＲ−６０」、石原産業株式会社製）
・二酸化チタン  平均粒子径２６６ｎｍ（商品名「ＴＩＰＡＱＵＥ  ＣＲ−５０」、石原産業株式会社製）
・二酸化チタン  平均粒子径２８０ｎｍ（商品名「ＴＩＰＡＱＵＥ  ＣＲ−５０」、石原産業株式会社製）
・二酸化チタン  平均粒子径３２１ｎｍ（商品名「ＴＩＰＡＱＵＥ  ＣＲ−５０」、石原産業株式会社製）
・二酸化チタン  平均粒子径３３０ｎｍ（商品名「ＴＩＰＡＱＵＥ  ＣＲ−５０」、石原産業株式会社製）
・二酸化チタン  平均粒子径３３２ｎｍ（商品名「ＴＩＰＡＱＵＥ  ＣＲ−５０」、石原産業株式会社製）
・二酸化チタン  平均粒子径３６０ｎｍ（商品名「ＴＩＰＡＱＵＥ  ＣＲ−５０」、石原産業株式会社製）
・二酸化チタン  平均粒子径３９９ｎｍ（商品名「ＴＩＰＡＱＵＥ  ＣＲ−５８」、石原産業株式会社製）
・二酸化チタン  平均粒子径４４０ｎｍ（商品名「ＴＩＰＡＱＵＥ  ＣＲ−５８」、石原産業株式会社製）
・二酸化チタン  平均粒子径５２０ｎｍ（商品名「ＴＩＰＡＱＵＥ  ＣＲ−５８」、石原産業株式会社製）
（樹脂）
・ＹＳ−１２７４（商品名、星光ＰＭＣ株式会社製、顔料分散用の樹脂、スチレン−アクリル酸共重合体の溶液タイプ）
・ジョンクリル  ６１Ｊ（商品名、ＢＡＳＦ社製、定着用の樹脂、スチレン−アクリル酸共重合体の溶液タイプ）
・ビニブラン  ７１１（商品名、日信化学工業株式会社製、定着用の樹脂、塩化ビニル系樹脂からなる樹脂粒子、エマルジョンタイプ）
（糖類）
・ＨＳ−５００（商品名、株式会社林原商事製、還元糖）
（シリカ粒子）
・ＰＬ−３（商品名、扶桑化学株式会社製、コロイダルシリカ）
（その他）
・２−ピロリドン
・１，２−ヘキサンジオール
・プロピレングリコール
・ＢＹＫ−３４８（商品名、ビックケミー・ジャパン株式会社製、シリコン系界面活性剤）
・水
【００８４】
【表１】
2013129708.tif 000002
【００８５】
【表２】
2013129708.tif 000003
【００８６】
３．２．評価試験Ａ
評価試験Ａでは、白色系顔料の粒子径が及ぼす効果を検討した。
【００８７】
（１）白色度
表１の実施例１〜実施例７、比較例１〜比較例４に係る白色系インクを、インクジェットプリンターの専用カートリッジに充填した。そして、当該カートリッジをプリンターＰＸ−Ｇ９３０に装着して、記録媒体（商品名「ルミラー」、東レ株式会社製、ＰＥＴフィルム）に白色系インクからなるベタパターン画像を記録した。このときの印刷条件は、解像度１４４０ｄｐｉ×１４４０ｄｐｉ、Ｄｕｔｙ１００％であった。
【００８８】
なお、「Ｄｕｔｙ値」とは、下式で算出される値である。
【００８９】
ｄｕｔｙ（％）＝実吐出ドット数／（縦解像度×横解像度）×１００
（式中、「実吐出ドット数」は単位面積当たりの実吐出ドット数であり、「縦解像度」および「横解像度」はそれぞれ単位面積当たりの解像度である。）
【００９０】
得られたベタパターン画像について、測色機Ｇｒｅｔａｇ  Ｍａｃｂｅｔｈ  ＳｐｅｔｒｏｓｃａｎおよびＳｐｅｃｔｒｏｌｉｎｏ（Ｘ−Ｒｉｔｅ社製）によって測色して、Ｌ＊値を求め、Ｌ＊値を白色度の指標として行った。評価基準は次の通りであり、評価結果を表１に示す。
◎：Ｌ＊値が７５以上
○：Ｌ＊値が７０以上
×：Ｌ＊値が７０未満
【００９１】
（２）吐出安定性
上記の「３．２．（１）」と同様にして、実施例１〜実施例７、比較例１〜比較例４に係る白色系インクを用いて、記録媒体（商品名「ルミラー」、東レ株式会社製、ＰＥＴフィルム）にノズルチェックパターンを記録した。
【００９２】
得られたノズルチェックパターンについて、ノズル抜けおよびインクの飛行曲がりの有無を確認することにより、吐出安定性を評価した。評価基準は次の通りであり、評価結果を表１に示す。
○：ノズル抜けおよびインクの飛行曲がりがない
×：ノズル抜けおよびインクの飛行曲がりが発生
【００９３】
（３）沈降体積率
表１の実施例１〜実施例７、比較例１〜比較例４に係る白色系インクを、インクジェットプリンターＰＸ−Ｇ９３０の専用カートリッジに充填した。そして、当該カートリッジをプリンターＰＸ−Ｇ９３０に搭載して、プリンターのインク流路（インク供給管およびヘッド内部）を白色系インクで満たした後、当該プリンターを温度２０℃、湿度５０％ＲＨの条件下で、６ヶ月間保存した。なお、インク供給管は水平に保った状態で保存した。
【００９４】
保存後、インク供給管における二層に分離したインクの界面を基準として、下層の体積（沈降物の体積）を求め、下層の体積が上層および下層の体積の合計に占める割合（沈降体積率（Ｖ％））を算出した。得られた値を表１に示す。
【００９５】
（４）流路残存率
上記の「３．２．（３）」の試験後、白色系インクを充填したカートリッジを、洗浄液（水およびグリセリンが１０：７で配合された液体）を充填したカートリッジに取り替えた。そして、ヘッドのノズルから、流速２６０ｍｌ／分・ｃｍ２で３０ｍｌのインクを抜き取った。その後、インク供給管内に残存する沈降物の体積を算出して、当該残存する沈降物の体積が上記の「３．２．（３）」で求めた沈降物の体積に対して占める割合（流路残存率（％））を算出した。得られた値を表１に示す。
【００９６】
３．３．評価試験Ｂ
評価試験Ｂでは、沈降体積および流路残存について、さらに詳細に検討する実験を行った。
【００９７】
（１）沈降体積率
表２の実施例８〜実施例１４、比較例５〜比較例８に係る白色系インクを用いた以外は、上記の「３．２．（３）」と同様にして、沈降体積率（％）を求めた。得られた値を表２に示す。
【００９８】
（２）流路残存率の評価
表２の実施例８〜実施例１４、比較例５〜比較例８に係る白色系インクを用いた以外は、上記の「３．２．（４）」と同様にして、流路残存率（％）を求めた。得られた値を表２に示す。
【００９９】
３．４．評価結果
３．４．１．評価試験Ａの結果
実施例１〜実施例７で用いた白色系インクは、いずれも平均粒子径２００ｎｍ以上４００ｎｍ以下の白色系顔料を含有する。そのため、表１の評価結果の通り、吐出安定性に優れ、かつ、白色度の高い画像を記録した。
【０１００】
一方、比較例１および比較例２で用いた白色系インクは、いずれも平均粒子径２００ｎｍ未満の白色系顔料を含有する。そのため、表１の評価結果の通り、白色度の低い画像を記録した。比較例３および比較例４で用いた白色系インクは、いずれも平均粒子径が４００ｎｍを超えた白色系顔料を含有する。そのため、吐出安定性に優れなかった。
【０１０１】
３．４．２．評価試験Ｂの結果
実施例８〜実施例１４で用いた白色系インクは、いずれも上記の式（１）を満たすものであった。そのため、沈降物の硬化や増粘が少なく、吐出安定性に大きく影響しない程度まで沈降物を解消することができた。
【０１０２】
一方、比較例５〜比較例８で用いた白色系インクは、いずれも上記の式（１）を満たさないものであった。そのため、沈降物の硬化あるいは増粘がみられ、沈降物を十分に解消することが困難であった。
【０１０３】
本発明は、上述した実施形態に限定されるものではなく、さらに種々の変形が可能である。たとえば、本発明は、実施形態で説明した構成と実質的に同一の構成（たとえば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１０４】
１…プリンター、２…ヘッド、３…キャリッジ、４…キャリッジ移動機構、５…媒体送り機構、６…制御部、１０…インク収容部、２０…インク流路
【図１】
2013129708.tif 000004